(57)【要約】      （修正有）【課題】映像再生装置において、ユーザーがマルチゾーンにいたままGUIやOSDによる設定等の操作を行えるようにする。【解決手段】映像再生装置において、映像信号を切り換える入力切り換え回路と、複数の音場空間（メインゾーン及びマルチゾーン）で異なるソースを出力する出力切り換え回路と、音場空間それぞれに対する各種設定を行う設定手段と、各種設定をＯＳＤ又はＧＵＩ表示する表示手段と、各種設定操作を行う操作手段と、音場空間それぞれの映像信号出力をオン／オフするスイッチと、マルチゾーンの音場空間に関する操作入力があったときマルチゾーンの音場空間のＯＳＤ又はＧＵＩ表示する切り換え回路を備えた。【選択図】図１
2011216993.tif 000002
【特許請求の範囲】
【請求項１】
複数のソース機器から入力される映像信号を切り換える入力切り換え回路と、
複数の音場空間（メインゾーン及びマルチゾーン）で異なるソースを出力するための出力切り換え回路と、
前記音場空間それぞれに対する各種設定を行う設定手段と、
前記各種設定をオンスクリーンディスプレイ（ＯＳＤ）又はグラフィカルユーザインタフェース（ＧＵＩ）によって表示する表示手段と、
前記各種設定の操作を行う操作手段と、
前記音場空間それぞれの映像信号出力をオン／オフするスイッチと、
マルチゾーンの音場空間に関する操作入力があったときマルチゾーンの音場空間のＯＳＤ表示又はＧＵＩ表示するための切り換え回路とを備えた
ことを特徴とする映像再生装置。
【請求項２】
請求項１に記載の映像再生装置であって、
前記表示手段は、
メインゾーンのスイッチがオンのときはメインゾーンの設定内容およびソースの再生情報をメインゾーンのモニタ出力に表示し、
マルチゾーンのスイッチがオンのときは、マルチゾーンの設定内容およびソースの再生情報をマルチゾーンのモニタ出力に表示する
ことを特徴とする映像再生装置。
【発明の詳細な説明】
【技術分野】
【０００１】
本発明は、マルチゾーン制御機能を備えたＡＶアンプ等の映像再生装置に関する。
【背景技術】
【０００２】
マルチチャンネル再生機能を有するAVアンプ等の映像再生装置では、フロントレフトスピーカ（ＦＬ）、フロントライトスピーカ（ＦR）、センタスピーカ（Ｃ）、サラウンドレフトスピーカ（ＳＬ）、サラウンドライトスピーカ（ＳＲ）、サラウンドバックレフトスピーカ（ＳBＬ）、サラウンドバックライトスピーカ（ＳBＲ）、およびサブウーファ（ＳＷ）などの複数のスピーカを接続し、家庭で映画館のような立体的なサラウンド音場を作りだして音響再生する機能を備える。
DVDやBD等のオーディオフォーマットには、あらかじめサラウンド再生用にマルチチャンネルで収録されているものがあり、このようなオーディオフォーマットをマルチチャンネルのスピーカで再生することにより、より臨場感を得ることができる。
また、アナログやPCM等の2チャンネル音源を再生する場合でも、AVアンプのDSPのドルビープロロジックデコードやサラウンドシミュレーションによる効果の付与により、マルチチャンネルで再生することができる。
【０００３】
このようなマルチチャンネル再生機能を持つAVアンプでは、サラウンド環境を最適にするために、接続されたスピーカに対する設定や再生音量の設定、好みの音場効果の設定等、多項目の設定操作を必要とする。
【０００４】
AVアンプでは、これら多数の設定項目をユーザーが容易に設定できるように、オンスクリーンディスプレイ(OSD)やグラフィカルユーザインタフェース(GUI)表示機能を持つものが一般的になってきている。
OSDやGUIでは操作ガイドも表示されるので、ユーザーは、ある程度直感的に操作することも可能であり、有効なユーザーインターフェイスとなっている。
【０００５】
近年のAVアンプでは、主にサラウンド再生を行う部屋（メインゾーン）以外の部屋（マルチゾーン）でも再生ソースが視聴できるよう、マルチゾーン用の音声映像出力端子を備えたものが増えてきている。
このマルチゾーン機能により、例えば、音楽をリビング（メインゾーン）で聞いていた場合、寝室（マルチゾーン）に移動しても引き続き聴取することができる。また、リビング（メインゾーン）では映画ソース、キッチン（マルチゾーン１）ではチューナ−ソース、子供部屋（マルチゾーン２）では音楽ソースというように、それぞれの部屋で別々のソースを再生して楽しむことができる。
【先行技術文献】
【特許文献】
【０００６】
【特許文献１】特開２００８−７２４０１公報
【発明の概要】
【発明が解決しようとする課題】
【０００７】
マルチゾーン機能を備えたＡＶアンプでは、各ゾーン毎に設定項目やボリュウム制御の操作がある。
また、メインゾーンとマルチゾーンで異なるソースを再生することができるため、それぞれ入力信号や再生情報も異なる。
【０００８】
各種設定や情報をメインゾーンとマルチゾーン別にそれぞれのモニタ出力で表示するためには、各ゾーン毎にOSD/GUI表示機能を備えなければならず、回路構成が大きくなり高価になってしまう。
そのため安価なＡＶアンプ機器では、メインゾーンのOSD/GUIにだけ、マルチゾーンの各種設定や情報を表示している構成のものが多い。
その結果、このような安価な機器では、マルチゾーンの設定等の操作をするために、メインゾーンのモニタを見ながら操作することがユーザーに強制され、ユーザーにとって非常に使い勝手が悪いという問題があった。
本発明の目的は、回路構成を大きくせず安価で、ユーザーがマルチゾーンにいたままGUIやOSDによる設定等の操作を行えるようにすることにある。
【課題を解決するための手段】
【０００９】
本発明に係る映像再生装置は、複数のソース機器から入力される映像信号を切り換える入力切り換え回路と、複数の音場空間（メインゾーン及びマルチゾーン）で異なるソースを出力するための出力切り換え回路と、前記音場空間それぞれに対する各種設定を行う設定手段と、前記各種設定をオンスクリーンディスプレイ（ＯＳＤ）又はグラフィカルユーザインタフェース（ＧＵＩ）によって表示する表示手段と、前記各種設定の操作を行う操作手段と、前記音場空間それぞれの映像信号出力をオン／オフするスイッチと、マルチゾーンの音場空間に関する操作入力があったときマルチゾーンの音場空間のＯＳＤ表示又はＧＵＩ表示するための切り換え回路とを備えた。
【００１０】
また、前記表示手段は、メインゾーンのスイッチがオンのときはメインゾーンの設定内容およびソースの再生情報をメインゾーンのモニタ出力に表示し、マルチゾーンのスイッチがオンのときは、マルチゾーンの設定内容およびソースの再生情報をマルチゾーンのモニタ出力に表示する。
【発明の効果】
【００１１】
本発明の映像再生装置によれば、回路構成を大きくせず安価で、ユーザーがマルチゾーンにいたままOSD表示又はGUI表示を見ながら設定等の操作を行うことができるようになり、マルチゾーンでの操作性が向上する。
【図面の簡単な説明】
【００１２】
【図１】本発明の一実施例の映像再生装置の構成を示すブロック図である。
【図２】本発明の一実施例の映像再生装置が使用されるＡＶ再生システムの基本構成を示す図である。
【発明を実施するための形態】
【００１３】
図２は、本発明の一実施例の映像再生装置が使用されるＡＶ再生システムの基本構成を示す図である。映像再生装置として用いられるＡＶアンプ２1には、複数の再生機器として、ＤＶＤプレーヤ２２、ＢＤプレーヤ２３、携帯プレーヤ２４が接続され、複数のスピーカ２５〜３２、およびモニタ３３が接続される。また、マルチゾーンとなっている他の部屋では、マルチゾーン用のスピーカ３５〜３６、およびモニタ３７が接続される。
【００１４】
図２のメインゾーンの形態では、スピーカは、フロントレフトスピーカ（ＦＬ）２５、フロントライトスピーカ（ＦR）２６、センタスピーカ（Ｃ）２７、サラウンドレフトスピーカ（ＳＬ）２８、サラウンドライトスピーカ（ＳＲ）２９、サラウンドバックレフトスピーカ（ＳＢＬ）３０、サラウンドバックライトスピーカ（ＳＢＲ）３１、およびサブウーファ（ＳＷ）３２をＡＶアンプ２１に接続し、7.1チャンネルサラウンドシステムに対応する。モニタ３３は、ＡＶアンプ２１に接続され、再生機器２２〜２４の映像信号や各種設定、操作内容などのOSD画面又はGUI画面を表示する。各種設定操作は、ＡＶアンプ２１のリモートコントローラ３４により行う。
【００１５】
図２のマルチゾーンの形態では、レフトスピーカ（Ｌ）３５、ライトスピーカ（Ｒ）３６、モニタ３７を、ＡＶアンプ２1に接続する。また、赤外線（ＩＲ）センサ３８をＡＶアンプ２１に接続し、マルチゾーンからリモートコントローラ３９でＡＶアンプ２１の操作を可能とする。
【００１６】
図１は本発明の一実施例の映像再生装置の構成を示すブロック図である。この映像再生装置は、図２に示したＡＶアンプ２１に映像処理部として内蔵されている。
図２のＤＶＤプレーヤ２２、ＢＤプレーヤ２３、携帯プレーヤ２４から入力された映像信号は、それぞれ映像入力端子１、２、３から入力される。入力端子１、２、３の映像信号は、コンポジット映像信号、Sビデオ映像信号、コンポーネント映像信号、HDMI信号の種類がある。メインゾーン用映像切換部４はメインゾーンで選択する映像の切換えスイッチ４１、４２、４３を備え、マルチゾーン用映像切換部５はマルチゾーンで選択する映像の切換えスイッチ５１、５２、５３を備える。
ユーザーがリモコン３４または３９からＡＶアンプ２１を操作した場合、図１において、ボタン入力部１３から操作信号が制御部１２に入力され、制御部１２は操作信号の判断および映像再生装置各部の制御を行う。
【００１７】
操作信号がメインゾーンの入力切換え信号であった場合は、制御部１２は、メインゾーン用映像切換部４を制御し、マルチゾーンの入力切換え信号であった場合は、マルチゾーン用映像切換え部５を制御する。切換部６は、メインゾーンの映像とマルチゾーンの映像を切り換えるためのスイッチ６１、６２を備える。切換え部６から出力された映像信号は、OSD/GUI表示処理部７に入力される。OSD/GUI表示処理部７は、ＯＳＤまたはＧＵＩを表示するための表示制御を行う。
【００１８】
メインゾーンモニタ出力切換部８は、メインゾーンモニタ出力用の切換えスイッチ８１、８２を備え、その出力は、メインゾーン用映像としてメインゾーンモニタ出力端子１０に出力される。メインゾーンがオンの場合はスイッチ８１がオンし、メインゾーンがオフの場合はスイッチ８２がオンし、映像信号はミュートされる。
マルチゾーンモニタ出力切換部９は、マルチゾーンモニタ出力用の切換えスイッチ９１、９２、９３を備え、その出力は、マルチゾーン用映像としてマルチゾーンモニタ出力端子１１に出力される。マルチゾーンがオンの場合はスイッチ９２がオンし、マルチゾーンがオフの場合はスイッチ９３がオンし、映像信号はミュートされる。
本発明の特徴として、マルチゾーンでOSD/GUI表示できるようにするため、OSD/GUI表示処理部７から、スイッチ９１を介してマルチゾーンに出力する経路を備える。
【００１９】
以上の実施の形態では、ボタン入力部１３により、メインゾーンがオンおよびマルチゾーンがオフと制御部１２が判断している状態で、マルチゾーンに関する操作入力があったときには、スイッチ６１をオフ、スイッチ６２をオン、スイッチ９１をオン、スイッチ９２〜９３をオフする。スイッチ６２を通して、マルチゾーンで選択されている映像信号がOSD/GUI表示処理部７に入力され、スイッチ９１からマルチゾーンモニタ出力端子１１にOSD/GUI出力される。またこのとき、OSD/GUI表示処理部７はマルチゾーンの操作や設定に関する情報のみを生成する。
また、メインゾーンとマルチゾーンとで同じOSD/GUI表示処理部７を切り換えて使用するため、ユーザーはメインゾーンとマルチゾーンとで同様のOSD/GUI表示を見るのでゾーンの違いを意識する違和感がなく操作することが可能となり、回路構成を大きくせず安価で本発明を実施することができる。
【産業上の利用可能性】
【００２０】
ＡＶアンプのほか、映像再生装置を備えマルチゾーンのモニタに表示を行う各種のシステム、装置に、適用することができる。
【符号の説明】
【００２１】
１，２，３  映像入力端子
４  メインゾーン用映像切換部
５  マルチゾーン用映像切換部
６  切換部
７  OSD/GUI表示処理部
８  メインゾーンモニタ出力切換部
９  マルチゾーンモニタ出力切換部
１０  メインゾーンモニタ出力端子
１１  マルチゾーンモニタ出力端子
４１，４２，４３，５１，５２，５３，６１，６２  切換えスイッチ
８１，８２，９１，９２，９３  切換えスイッチ
【図１】
2011216993.tif 000003
【図２】
2011216993.tif 000004